(57)【要約】      （修正有）【課題】調色パレットに注入された光硬化樹脂材料を硬化させることなく保管するための遮光ケースを提供する。【解決手段】液状の光硬化樹脂材料が注入される本体部が形成された調色パレットを収容する遮光ケース１０は、本体部が入り込む収容部２１、開口面２２および係合部２３を備え非透明材料のシート材からなるケース本体２０と、係合部に着脱自在に装着される内側係合部４２と開口面を覆うカバー部４１を備え非透明材料のシート材からなる蓋部材４０と、を有し、ケース本体の両端部には脚部２７、２８が設けられ、蓋部材がケース本体に装着された状態のもとで、他のケース本体の脚部が内側係合部の内側に配置される。【選択図】図１
0003232869.tif 000002
【実用新案登録請求の範囲】
【請求項１】
平坦な底面および当該底面に連なる球面形状の内面により形成され液状の光硬化樹脂材料が注入される本体部が形成された調色パレットを収容する遮光ケースであって、
前記本体部が入り込む収容部、外周が四辺形の開口面および当該開口面から厚み方向に突出した係合部を備え、非透明材料のシート材からなるケース本体と、
前記係合部に着脱自在に装着される内側係合部、前記開口面を覆うカバー部を備え非透明材料のシート材からなる蓋部材と、を有する、遮光ケース。
【請求項２】
請求項１記載の遮光ケースにおいて、
前記ケース本体の両端部に開口面側から底面に向けて突出する脚部を設け、前記蓋部材が前記ケース本体に装着された状態のもとで、他のケース本体の脚部が前記係合部の内側に配置されて前記他のケース本体を積み重ねることができる、遮光ケース。
【請求項３】
請求項１または２記載の遮光ケースにおいて、
前記蓋部材の前記カバー部に幅方向に延びるとともに下方に突出する断面円弧形状の突起部を設け、当該突起部は前記ケース本体に設けられた噛み合い用の凹部と、調色パレットに設けられた位置決め用の凹部とに入り込む、遮光ケース。
【請求項４】
請求項１〜３のいずれか１項に記載の遮光ケースにおいて、
前記ケース本体の前記係合部に前記開口面に沿う方向に外方に突出するケース本体側の鍔部を設け、当該鍔部に重なる蓋側の鍔部を前記蓋部材に設け、前記蓋部材を前記ケース本体から取り外す際に把持される操作される舌片を前記蓋側の鍔部に設けた、遮光ケース。
【請求項５】
請求項１〜４のいずれか１項に記載の遮光ケースにおいて、
前記ケース本体の前記係合部の四隅に内方に突出する係合凸部を設け、当該係合凸部が係合する係合凹部を前記蓋部材の前記内側係合部に設けた、遮光ケース。
【請求項６】
請求項１〜５のいずれか１項に記載の遮光ケースにおいて、
前記調色パレットに設けられた注ぎ口が配置されるＶ字の欠き部を、前記収容部と一方の前記脚部との間に設けた、遮光ケース。
【請求項７】
請求項１〜６のいずれか１項に記載の遮光ケースにおいて、
前記調色パレットに設けられた取手部が配置される平坦な切欠き部を、前記収容部と他方の前記脚部との間に設けた、遮光ケース。
【請求項８】
請求項１〜７のいずれか１項に記載の遮光ケースにおいて、
前記脚部に複数の補強用の凹凸部を筋状に設けた、遮光ケース。
【考案の詳細な説明】
【技術分野】
【０００１】
本考案は、アクセサリの成形材料の光硬化樹脂が注入される調色パレットを保管するための遮光ケースに関する。
【背景技術】
【０００２】
ネックレスやペンダントなどの装飾品つまりアクセサリには、紫外線硬化樹脂（ＵＶレジン）等の光硬化樹脂を成形材料とし、成形型を用いて成形するものがある。特許文献１は、アクセサリの形状に対応した複数の凹部が形成された成形型が記載されている。成形材料である光硬化樹脂を凹部に注入した後に、注入された成形材料に紫外線等の光を照射することにより成形材料を硬化すると、凹部に対応した形状のペンダント、ネックレスおよびボタン等のアクセサリを容易に手作りすることができる。
【０００３】
光硬化樹脂を用いてアクセサリを手作りするには、それぞれ容器に収容された光硬化樹脂とレジン着色剤とを調色パレットに注入し、注入された光硬化樹脂材料とレジン着色材を調色パレットにおいて混合する。混合して作られた成形材料を調色パレットから成形型の凹部に流し込んだ後に、成形材料に紫外線等の光を照射すると、成形材料は硬化され、アクセサリを製造することができる。
【先行技術文献】
【特許文献】
【０００４】
【特許文献１】特開２０１９−１８８１１３号公報
【考案の概要】
【考案が解決しようとする課題】
【０００５】
調色パレットに注入された光硬化樹脂材料はそのままの状態で放置しておくと、太陽光や太陽光に含まれる紫外線によって硬化してしまうので、アクセサリの製作が終了した後に調色パレットに残った成形材料は、廃棄せざるを得ない。このため、成形材料を有効に利用することができなくなる。
【０００６】
一方、成形型に流し込んだ成形材料に光を照射して成形材料を硬化させているときに、調色パレットに残っている成形材料にその光が照射されると、調色パレットに残った流し込む前の成形材料が硬化してしまうことになり、その場合にも成形材料を廃棄せざるを得ない。
【０００７】
本考案の目的は、容器から調色パレットに注入された光硬化樹脂材料からなる成形材料を硬化させることなく保管することができる遮光ケースを提供することにある。
【課題を解決するための手段】
【０００８】
本発明の遮光ケースは、平坦な底面および当該底面に連なる球面形状の内面により形成され液状の光硬化樹脂材料が注入される本体部が形成された調色パレットを収容する遮光ケースであって、前記本体部が入り込む収容部、外周が四辺形の開口面および当該開口面から厚み方向に突出した係合部を備え、非透明材料のシート材からなるケース本体と、前記係合部に着脱自在に装着される内側係合部、前記開口面を覆うカバー部を備え非透明材料のシート材からなる蓋部材と、を有する。
【考案の効果】
【０００９】
遮光ケースは、それぞれ非透明性のシート材からなるケース本体と、これに装着される蓋部材とを有しており、内部に調色パレットを配置することができる。ケース本体は調色パレットの本体部が入り込む収容部と、開口面から厚み方向に突出した係合部を備えており、蓋部材は係合部に着脱自在に装着される内側係合部と、ケース本体の開口面を覆うカバーとを備えており、光硬化樹脂材料が注入された調色パレットが遮光ケースに収容されると、光硬化樹脂材料からなる成形材料を硬化させることなく、保管することができる。
【００１０】
調色パレットに光硬化樹脂材料とレジン着色剤とを注入してこれらを混合させるときには、ケース本体により調色パレットを保持することができる。
【図面の簡単な説明】
【００１１】
【図１】遮光ケースを示す斜視図である。
【図２】図１に示された遮光ケースの蓋部材を示す平面図である。
【図３】図１に示された遮光ケースのケース本体を示す平面図である。
【図４】（Ａ）は調色パレットを示す平面図であり、（Ｂ）は（Ａ）における４Ｂ−４Ｂ線に沿う断面図である。
【図５】（Ａ）は図４（Ａ）の右側面図であり、（Ｂ）は図４（Ｂ）における５Ｂ−５Ｂ線に沿う断面図である。
【図６】（Ａ）は図２における６Ａ−６Ａ線に沿う拡大断面図であり、（Ｂ）は図３における６Ｂ−６Ｂ線に沿う拡大断面図である。
【図７】図２における７−７線に沿う蓋部材とその部分に対応するケース本体とを示す拡大断面図である。
【図８】遮光ケースに調色パレットが保管収容された状態を示す断面図である。
【考案を実施するための形態】
【００１２】
以下、本考案の実施の形態を図面に基づいて詳細に説明する。図１に示されるように、遮光ケース１０は、図４および図５に示される調色パレット１１を収容することができる。
【００１３】
調色パレット１１は、図４および図４に示されるように、平坦な底部１２とそれに連なる球面形状の内面の球形状部１３とにより形成される本体部１４を有し、半透明の樹脂材料により形成され全体的におわん型となっている。本体部１４の上面は開口されており、内部には紫外線硬化樹脂（ＵＶレジン）等の光硬化樹脂材料とレジン着色剤とが注入される。光硬化樹脂材料および複数のレジン着色剤はそれぞれ別々の容器に液状となって収容されており、それぞれ液状の光硬化樹脂材料等は本体部１４の内部に容器から注入される。
【００１４】
本体部１４に連なって注ぎ口１５が設けられており、注ぎ口１５は図４（Ａ）に示されるように平面形状はＶ字形状となって本体部１４から外方に向けて突出しており、注ぎ口１５の底面は球形状部１３から本体部１４の径方向外方に上向きに延びている。注ぎ口１５の反対側には取手部１６が設けられており、使用者は取手部１６の部分で調色パレット１１を持つことができる。本体部１４、注ぎ口１５および取手部１６の上端部は鍔部１７により連なっており、鍔部１７は取手部１６の面よりも上方に突出している。取手部１６には、光硬化樹脂材料とレジン着色剤とを混ぜるときに使用する混ぜ棒を置くこともできる。
【００１５】
注ぎ口１５の幅方向中心と取手部１６の幅方向中心とを結ぶ長手方向の中心線に対して直角方向であって、調色パレット１１の本体部１４の長手方向中央部には位置決め用の凹部１８が２つ形成されており、それぞれの位置決め用の凹部１８は相互に対向している。
【００１６】
調色パレット１１は、ネックレスやペンダント等のアクセサリを成形するときに使用される。本体部１４内に注入された光硬化樹脂材料とレジン着色剤とが混ぜ合わされた後に、特許文献１に記載されるように、成形型にアクセサリの形状に形成された凹部に、注ぎ口１５から注入される。
【００１７】
図１に示されるように、遮光ケース１０はケース本体２０とこれに装着される蓋部材４０とを有しており、ケース本体２０と蓋部材４０は、非透明材料つまり遮光性材料の樹脂である黒色のポリプロピレン（ＰＰ）樹脂のシートにより形成されている。シート材の厚みは、例えば０．５ｍｍ程度の１ｍｍ以下の薄い素材である。非透明材料からなるシート材は、紫外線を含めて光が透過するのを防止する機能つまり遮光性の機能を有している。ケース本体２０と蓋部材４０は、それぞれＰＰシートを真空成形により製造することができる。
【００１８】
図１および図３に示されるように、ケース本体２０は調色パレット１１の本体部１４が入り込む収容部２１と、収容部２１の上面を形成し外周が四辺形の開口面２２とを有し、開口面２２の外周には厚み方向つまり上方向に突出する係合部２３が設けられている。収容部２１は、調色パレット１１の平坦な底部に対向する平坦な底部２４と、球形状部１３に対向する球形状部２５とを有している。係合部２３は上端に向けて広がる方向に傾斜したテーパー形状となっている。係合部２３にはこれに連なるとともに開口面２２に沿う方向に係合部２３の外方に突出する鍔部２６が設けられている。この鍔部２６はケース本体側の鍔部であり、四辺形の枠形状となっている。
【００１９】
ケース本体２０の両端部には開口面側から底面に向けて突出する脚部２７、２８が設けられている。それぞれの脚部２７、２８は、上面側が凹部となっており、図３に示されるように、ケース本体２０の幅方向の両側部分の幅寸法は中央部分よりも大きく設定され、底面部２９は図６（Ｂ）に示されるように平坦となっている。脚部２７、２８は、開口面２２側から底面部２９に向けて幅が狭くなる方向に傾斜したテーパー形状となっている。脚部２７、２８の上下方向面と底面には、それぞれ複数の補強用の凹凸部３１が筋状に設けられており、凹凸部３１は図６および図７に示されるように、外面が凸となっており、脚部２７、２８の外面に突出している。
【００２０】
一方の脚部２７と収容部２１との間の境界部分には、調色パレット１１の注ぎ口１５が配置されるＶ字の切欠き部３２が設けられている。他方の脚部２８と収容部２１との間の境界部部には、調色パレット１１の取手部１６が配置される平坦な切欠き部３３が設けられている。したがって、図６（Ｂ）に示されるように、調色パレット１１をケース本体２０に収容すると、調色パレット１１の本体部１４がケース本体２０の収容部２１内に入り込んで、調色パレット１１の底部１２がケース本体２０の底部２４に接触し、球形状部１３が球形状部２５に接触する。さらに、注ぎ口１５が切欠き部３２に入り込み、取手部１６が切欠き部３３に入り込んで、調色パレット１１はケース本体２０に確実に保持される。
【００２１】
これにより、ケース本体２０は調色パレット１１に光硬化樹脂材料とレジン着色剤を注入して、これらを混ぜ合わせるときのパレット置き場として使用することができる。調色パレット１１に上側から押付力を加えても、脚部２７、２８には補強用の凹凸部３１が複数設けられているので、ケース本体２０を薄いシート材により形成しても、ケース本体２０の強度を十分に高めることができる。
【００２２】
ケース本体２０の係合部２３の四隅には、係合凸部３４が内方に突出して設けられている。さらに、ケース本体２０の開口面２２の長手方向の中央部の両側部分には、噛み合い用の凹部３５が設けられている。後述のように、係合凸部３４は蓋部材４０をケース本体２０に確実に固定するためであり、凹部３５は調色パレット１１をケース本体２０に収容した状態でケース本体２０に蓋部材４０を装着したときに、調色パレット１１を位置決めするためである。
【００２３】
蓋部材４０は、図１および図２に示すように、ケース本体２０の開口面２２を覆うカバー部４１と、カバー部４１の外周に一体となった内側係合部４２とを有している。蓋部材４０をケース本体２０に配置すると、内側係合部４２はケース本体２０の係合部２３の内側に配置されて係合部２３に対して着脱自在に装着される。内側係合部４２に連なって蓋側の鍔部４３が設けられ、鍔部４３はカバー部４１に沿う方向に内側係合部４２の外方に突出している。蓋部材４０をケース本体２０に装着すると、四角形の係合部２３の内側の領域つまり開口面２２にカバー部４１により覆われるとともに、鍔部４３はケース本体側の鍔部２６に重なった状態となる。鍔部４３には舌片４４が設けられており、使用者により舌片４４が指で把持されて蓋部材４０をケース本体２０から取り外す際に操作される。
【００２４】
蓋部材４０の内側係合部４２には、ケース本体２０の係合部２３に設けられた係合凸部３４が内部に入り込んで係合つまり引っ掛かる係合凹部４５が設けられている。図７は、図２における７−７線に沿う蓋部材の部分と、その部分に対応するケース本体の部分とを示す拡大断面図である。図７において矢印で示すように、内側係合部４２を係合部２３の内側に挿入すると、係合凸部３４は係合凹部４５の内部に係合する。このように、蓋部材４０は四隅の係合凹部４５にケース本体２０の係合凸部３４が係合するので、蓋部材４０により開口面２２を覆うと、不用意に蓋部材４０がケース本体２０から外れることが抑制される。蓋部材４０をケース本体２０から取り外すときには、舌片４４の部分を持って取り外す操作が行われる。
【００２５】
蓋部材４０のカバー部４１には、図２に示されるように、幅方向に延びる突起部４６が設けられている。突起部４６は断面円弧形状であり、下方に突出しており、蓋部材４０をケース本体２０に装着すると、突起部４６はケース本体２０に設けられた噛み合い用の凹部３５に入り込む。
【００２６】
ケース本体２０は上述のように調色パレット１１を保持するパレット置き場として使用することができ、このように使用している状態を基準として、構成部材の位置関係を示す上下方向が定義されている。蓋部材４０についても、同様に、ケース本体２０に装着された状態を基準としている。
【００２７】
ケース本体２０は多数のケース本体２０を積み重ねた状態とすることができる。このときには、上側のケース本体２０の収容部２１が下側のケース本体２０の収容部２１に入り込み、同様に、上側のケース本体２０の脚部２７、２８が下側のケース本体２０の脚部２７、２８に入り込む。これにより、限られたスペースに多数のケース本体２０を保管することができる。同様に、蓋部材４０についても積み重ねた状態で保管することができる。
【００２８】
図６（Ｂ）に示されるように、調色パレット１１をケース本体２０に配置することができ、ケース本体２０をパレット置き場として使用することができる。
【００２９】
調色パレット１１がケース本体２０に配置された状態のもとで、蓋部材４０をケース本体２０に装着すると、図８に示されるように、ケース本体２０の開口面２２つまり係合部２３の内側の部分は、蓋部材４０のカバー部４１により覆われる。ケース本体２０と蓋部材４０は、それぞれ黒色のポリプロピレン樹脂のように非透明樹脂材料のシートにより形成されているので、蓋部材４０をケース本体２０に装着すると、遮光ケース１０に外部から光が照射されても、調色パレット１１およびそれに注入された光硬化樹脂材料には光が到達しない。図８においては、調色パレット１１に注入された光硬化樹脂材料等が符号Ｌにより示されている。
【００３０】
蓋部材４０をケース本体２０に装着すると、ケース本体２０の係合部２３に設けられた係合凸部３４が蓋部材４０の係合凹部４５に係合するので、ケース本体２０に装着された蓋部材４０が不用意に外れることが防止される。このように、光硬化樹脂材料等が調色パレット１１に残った状態として調色パレット１１を遮光ケース１０内に保管しても、光硬化樹脂材料が硬化してしまうことが防止される。
【００３１】
この状態のもとでは、蓋部材４０の突起部４６がケース本体２０の噛み合い用の凹部３５に入り込むとともに調色パレットの凹部１８に入り込んで、調色パレット１１は遮光ケース１０内に位置決め固定され、遮光ケース１０の移動させるときに、調色パレット１１の位置ずれが防止される。
【００３２】
蓋部材４０が装着されて蓋部材４０とケース本体２０とにより遮光ケース１０が組み立てられた状態においては、上側の遮光ケース１０の脚部２７、２８は下側の遮光ケース１０の蓋部材４０の内側係合部４２の内側に配置される。これにより、ケース本体２０に蓋部材４０が装着された状態の複数の遮光ケース１０を上下に積み重ねることができる。しかも、脚部２７、２８の底面は平坦となっており、複数の遮光ケース１０を積み重ねても、安定した状態で保管することができる。
【００３３】
ケース本体２０と蓋部材４０は、それぞれＰＰシートを真空成形により製造することができるので、安価で自由な形の遮光ケース１０を製造することができる。
【００３４】
本考案は前記実施の形態に限定されるものではなく、その要旨を逸脱しない範囲で種々変更可能である。例えば、蓋部材４０の鍔部４３のうち舌片４４が設けられていない鍔部４３と、その鍔部４３に対応するケース本体２０の鍔部２６とを連なった状態の遮光ケースとしてもよい。
【符号の説明】
【００３５】
１０    遮光ケース
１１    調色パレット
１２    底部
１３    球形状部
１４    本体部
１５    注ぎ口
１６    取手部
１７    鍔部
１８    凹部
２０    ケース本体
２１    収容部
２２    開口面
２３    係合部
２４    底部
２５    球形状部
２６    鍔部
２７、２８    脚部
２９    底面部
３１    凹凸部
３２、３３    切欠き部
３４    係合凸部
３５    凹部
４０    蓋部材
４１    カバー部
４２    内側係合部
４３    鍔部
４４    舌片
４５    係合凹部
４６    突起部
【図１】
0003232869.tif 000003
【図２】
0003232869.tif 000004
【図３】
0003232869.tif 000005
【図４】
0003232869.tif 000006
【図５】
0003232869.tif 000007
【図６】
0003232869.tif 000008
【図７】
0003232869.tif 000009
【図８】
0003232869.tif 000010
【手続補正書】
【提出日】令和3年5月13日(2021.5.13)
【手続補正１】
【補正対象書類名】実用新案登録請求の範囲
【補正対象項目名】全文
【補正方法】変更
【補正の内容】
【実用新案登録請求の範囲】
【請求項１】
平坦な底面および当該底面に連なる球面形状の内面により形成され液状の光硬化樹脂材料が注入される本体部が形成された調色パレットを収容する遮光ケースであって、
前記本体部が入り込む収容部、外周が四辺形の開口面および当該開口面から厚み方向に突出した係合部を備え、非透明材料のシート材からなるケース本体と、
前記係合部に着脱自在に装着される内側係合部、前記開口面を覆うカバー部を備え非透明材料のシート材からなる蓋部材と、を有する、遮光ケース。
【請求項２】
請求項１記載の遮光ケースにおいて、
前記ケース本体の両端部に開口面側から底面に向けて突出する脚部を設け、前記蓋部材が前記ケース本体に装着された状態のもとで、他のケース本体の脚部が前記係合部の内側に配置されて前記他のケース本体を積み重ねることができる、遮光ケース。
【請求項３】
請求項１または２記載の遮光ケースにおいて、
前記蓋部材の前記カバー部に幅方向に延びるとともに下方に突出する断面円弧形状の突起部を設け、当該突起部は前記ケース本体に設けられた噛み合い用の凹部と、調色パレットに設けられた位置決め用の凹部とに入り込む、遮光ケース。
【請求項４】
請求項１〜３のいずれか１項に記載の遮光ケースにおいて、
前記ケース本体の前記係合部に前記開口面に沿う方向に外方に突出するケース本体側の鍔部を設け、当該鍔部に重なる蓋側の鍔部を前記蓋部材に設け、前記蓋部材を前記ケース本体から取り外す際に把持される操作される舌片を前記蓋側の鍔部に設けた、遮光ケース。
【請求項５】
請求項１〜４のいずれか１項に記載の遮光ケースにおいて、
前記ケース本体の前記係合部の四隅に内方に突出する係合凸部を設け、当該係合凸部が係合する係合凹部を前記蓋部材の前記内側係合部に設けた、遮光ケース。
【請求項６】
請求項２記載の遮光ケースにおいて、
前記調色パレットに設けられた注ぎ口が配置されるＶ字の欠き部を、前記収容部と一方の前記脚部との間に設けた、遮光ケース。
【請求項７】
請求項２記載の遮光ケースにおいて、
前記調色パレットに設けられた取手部が配置される平坦な切欠き部を、前記収容部と他方の前記脚部との間に設けた、遮光ケース。
【請求項８】
請求項２記載の遮光ケースにおいて、
前記脚部に複数の補強用の凹凸部を筋状に設けた、遮光ケース。